(57)【特許請求の範囲】
【請求項１】
複数の玉受け凹部が設けられた回転体と、この回転体の軸を水平状態に支承する筐体とを備える遊技機の玉払出装置であって、筐体の上部には２段２列以上３段３列未満の玉が流入可能な玉導入路を設け、筐体の下部には玉計数センサーを備えた玉払出路を設けたうえに、玉導入路と玉払出路との間に前記回転体を介在させて、２段２列以上３段３列未満の状態で玉導入路に流れ込んだ玉を、回転する回転体の玉受け凹部に取り込んで、この玉を一球ずつ玉払出路に払い出すようにするとともに、前記玉導入路の上方には流入した玉の圧力を逃がすための上部逃げ空間を設けたことを特徴とする遊技機の玉払出装置。
【請求項２】
回転体の玉受け凹部が降下する側の玉導入路の一側に、玉の圧力を逃がすための側部逃げ空間を設けた請求項１に記載の遊技機の玉払出装置。
【請求項３】
複数の玉受け凹部が設けられた回転体と、この回転体の軸を水平状態に支承する筐体とを備える遊技機の玉払出装置であって、筐体の上部には２段２列以上３段３列未満の玉が流入可能な玉導入路を設け、筐体の下部には玉計数センサーを備えた玉払出路を設けたうえに、玉導入路と玉払出路との間に前記回転体を介在させて、２段２列以上３段３列未満の状態で玉導入路に流れ込んだ玉を、回転する回転体の玉受け凹部に取り込んで、この玉を一球ずつ玉払出路に払い出すようにするとともに、回転体の玉受け凹部が降下する側の玉導入路の一側に、玉の圧力を逃がすための側部逃げ空間を設けたことを特徴とする遊技機の玉払出装置。
【請求項４】
回転体の玉受け凹部が上昇する側の玉導入路の側面を垂直平坦面に形成した請求項１〜３の何れかに記載の遊技機の玉払出装置。  
【請求項５】
玉払出路の幅で回転体の軸方向の幅を、１２ｍｍ超２０ｍｍ未満とした請求項１〜４の何れかに記載の遊技機の玉払出装置。
【発明の詳細な説明】
【技術分野】
【０００１】
本発明は、上流の玉タンクから送り込まれた玉を賞玉として一球ずつ払い出すための遊技機の玉払出装置に関するものである。
【背景技術】
【０００２】
パチンコ機の裏面には、機構盤が設けられ、この機構盤の上部には賞玉を貯留するための玉タンクが配設されている。玉タンクの下方には玉整列レールが接続されている。従来はこの玉整列レールによって玉を特に一段に整列させてから玉払出装置で払い出すようにしていた。しかし２段から１段に整列させる部分で玉噛みが起こるので、その部分に揺動する錘をぶら下げたり（特許文献１）、振動させたり（特許文献２、３）して、玉噛みを解消していた。しかしながら前者は確実性に欠け、後者は別途駆動力が必要になるという問題があった。
【０００３】
そこで、後者の玉崩し用の動力を払出用の動力で賄う、つまり、無整列のままの玉タンクから直接玉払出装置で崩しながら整列させて払い出すものが考えられている。（特許文献４）。しかしながら、無整列のままであると、図１０に示すようなアーチ状（トンネル状）の玉噛みが発生してしまうという問題があった。
【先行技術文献】
【特許文献】
【０００４】
【特許文献１】特開平０７−０３１７１９号公報
【特許文献２】特開平０７−９６０７７号公報
【特許文献３】特開平０８―１４１１７６号公報
【特許文献４】特開平２０００−１８９６１８号公報
【発明の概要】
【発明が解決しようとする課題】
【０００５】
本発明は、上記した従来の問題点に鑑み、流下する玉を一段一列に整列することを必要とせず、これによって玉詰まりを防止して玉を一球ずつ下流に払い出すことができる遊技機の玉払出装置を提供することを課題とする。
【課題を解決するための手段】
【０００６】
本願発明においては、玉通路樋によって玉を一段一列に整列させないが、アーチ（トンネル）状の玉噛みが起きない程度の２段２列以上３段３列未満に整列させてのち玉払出装置によって玉列を崩しながら１玉ずつ払い出す構造とした。ここで２段とは２個の玉が上下に積み重なった状態をいい、２列とは２個の玉が横に連なった状態をいう。また、３段未満とは、玉が垂直に積み重なっておらず一部の玉が横にずれてジグザグ状に３個の玉が積み重なった状態をいい、３列未満とは玉が水平に３列に連なっておらず一部の玉が上方にずれて３個の玉が連なった状態をいう。
【０００７】
上記の課題を解決するためになされた本発明に係る遊技機の玉払出装置は、複数の玉受け凹部が設けられた回転体と、この回転体の軸を水平状態に支承する筐体とを備える遊技機の玉払出装置であって、筐体の上部には２段２列以上３段３列未満の玉が流入可能な玉導入路を設け、筐体の下部には玉計数センサーを備えた玉払出路を設けたうえに、玉導入路と玉払出路との間に前記回転体を介在させて、２段２列以上３段３列未満の状態で玉導入路に流れ込んだ玉を、回転する回転体の玉受け凹部に取り込んで、この玉を一球ずつ玉払出路に払い出すようにするとともに、前記玉導入路の上方には流入した玉の圧力を逃がすための上部逃げ空間を設けたことを特徴とするものである。この発明において、玉導入路の一側にも、玉の圧力を逃がすための側部逃げ空間を設けることができる。
【０００８】
また、本発明の遊技機の玉払出装置は、複数の玉受け凹部が設けられた回転体と、この回転体の軸を水平状態に支承する筐体とを備える遊技機の玉払出装置であって、筐体の上部には２段２列以上３段３列未満の玉が流入可能な玉導入路を設け、筐体の下部には玉計数センサーを備えた玉払出路を設けたうえに、玉導入路と玉払出路との間に前記回転体を介在させて、２段２列以上３段３列未満の状態で玉導入路に流れ込んだ玉を、回転する回転体の玉受け凹部に取り込んで、この玉を一球ずつ玉払出路に払い出すようにするとともに、回転体の玉受け凹部が降下する側の玉導入路の一側に、玉の圧力を逃がすための側部逃げ空間を設けたことを特徴とするものである。
上記した発明において、回転体の玉受け凹部が上昇する側の玉導入路の側面を垂直平坦面に形成するのが望ましく、また、玉払出路の幅で回転体の軸方向の幅を、１２ｍｍ超２０ｍｍ未満とするのが望ましい。
【発明の効果】
【０００９】
請求項１に係る玉払出装置は、玉を２段２列以上３段３列未満の状態として筐体内に流れ込ませるとともに回転体を回転させて玉を回転体の玉受け凹部に取り込むことができるので、玉を一段一列にすることを要せず、これによって玉詰まりの発生を防止することができる。また、玉を玉受け凹部に一球ずつ取り込んでこの玉を玉払出路に払い出すことができる。さらに、玉導入路の上方に上部逃げ空間を設けたので、湾曲した玉列が玉導入路の天井に衝突して玉列による圧力がかかって回転体を回転させるモータの負荷が増大するのを防止することができる。
【００１０】
請求項２、３にかかる発明は、回転体の玉受け凹部が降下する側の玉導入路の一側に、側部逃げ空間を設けたので、回転体にかかる玉圧を逃がすことができる。
請求項４にかかる発明は、回転体の玉受け凹部が上昇する側の玉導入路の側面を垂直平坦面に形成したので、回転体の玉受け凹部への玉の入り込みが、玉が振動することにより邪魔されるのを防止して、玉払出率を向上させて確実に玉を払い出すことができる。
請求項５にかかる発明は、玉払出路の幅で回転体の軸方向の幅を１２ｍｍ超２０ｍｍ未満としたので、玉の落下速度の減少を少なくして、且つ、玉が２個同時に挟まれることによる玉詰まりを防止することができる。
【図面の簡単な説明】
【００１１】
【図１】玉通路装置の正面図である。
【図２】玉通路装置の平面図である。
【図３】本発明の玉払出装置の正面断面図である。
【図４】図３の玉払出装置の側面断面図である。
【図５】玉の流入を回転軸と直交する方向とした玉払出装置の正面断面図である。
【図６】図５の玉払出装置の側面断面図である。
【図７】回転体を反時計回りに回転させる玉払出装置の側面断面図である。
【図８】改良前の玉払出装置の正面断面図である。
【図９】図８の玉払出装置の側面断面図である。
【図１０】アーチ状の玉噛みの説明図である。
【図１１】上部逃げ空間のみを設けた玉払出装置の側面断面図である。
【図１２】側部逃げ空間のみを設けた玉払出装置の側面断面図である。
【図１３】図７のＡ−Ａ線断面図である。
【発明を実施するための形態】
【００１２】
以下に、本発明の実施形態に付いて説明する。
図１、２は、玉通路樋３と玉払出装置４とからなる玉通路装置２を示す図であって、この玉通路装置２は玉タンク１に接続されている。
【００１３】
玉通路樋３は、凹溝状に形成されていて、横幅が玉２個分以上〜３個分未満（玉直径が１１ｍｍの場合には、２２ｍｍ〜３３ｍｍ未満）である。また、側面３１の高さも玉２個分超〜３個分未満としてある。玉通路３の幅や高さを玉二個分より大なるものとしたので、二つの玉が横方向あるいは上下方向に並んで引き起こす玉詰まりを完全に防止することができる。玉通路樋３の底面は中央が高く両サイドが低くて長手方向に伸びる山形突条３２が形成されていて、玉通路樋３の両側が玉案内溝３３となっている。
【００１４】
玉払出装置４は、玉通路樋３の下流側端部に配置されていて、この下方に賞玉を払い出すための玉誘導路（図示していない）が接続されている。玉払出装置４は、図３、４に示すように、モータ９により回転される回転体５と、回転体５の回転軸５１の両端を水平状態で支承する筐体６とからなる。
【００１５】
筐体６は、上部に玉通路樋３からの玉を取り込む玉入口６１を有し、これに連通して玉導入路６２が形成されている（図３）。玉導入路６２の下方には玉計数センサー８を備えた玉払出路６３が筐体６の一方の側面に寄せて形成されている。玉導入路６２と玉払出路６３との間には、回転軸５１に二つのスプロケット７を備えた回転体５が回転軸５１を水平状態で介装されている。６４は、メンテナンス等でパチンコ機内の玉を抜くときの玉抜き路であって、遊技中は用いられない。玉を抜くときはモータ９は逆回転される。また、玉払出路６３、玉抜き路６４の幅は、玉一個が通過可能な寸法に形成してある。
【００１６】
玉入口６１は、玉通路樋３と同じく幅、高さとも玉２個分以上〜３個分未満としてあって、２個の玉による玉詰まりを防止してある。玉導入路６２は、水平断面形状が正方形乃至矩形であって、その縦幅（回転体５の軸方向の幅）は図３に示すように、玉２個分以上〜３個分未満として玉詰まりを防止してある。
【００１７】
また、玉入口６１には、下向きの庇４３を設けて、後述する玉列の盛り上がりを防止して、玉列を下方に押圧するようにしてある。庇４３は、緩やかな下り傾斜に形成してあって、これによって、庇４３の下端と玉導入路６２の上部の天井との間に、玉圧を逃がすための上部逃げ空間４１を設けることができる。上部逃げ空間４１は、庇４３の下端から上部天井まで、玉１／２個分以上２個分以下の余裕（図３に示すＥ寸法）を取るのが望ましい。
【００１８】
玉入口６１から玉導入路６２に流入した玉は下方の回転体５に向かって送出される。玉入口６１の底部と回転体５の回転軸５１までの距離（図３に示すＨ寸法）は、１００ｍｍ以内としてあって、回転体５が次の玉を確実に保持できるようにしてある。
【００１９】
また、玉導入路６２の下部の横幅（回転体５の直上の幅で、回転軸５１に直交する方向の幅）は図４に示すように玉２個分以上〜３個分未満（図４に示すＩ寸法）として２個の玉による玉詰まりを防止してある。そして、玉導入路６２に隣接して玉圧を逃がすための側部逃げ空間４２が設けてある。
【００２０】
回転体５は、所要間隔をおいて回転軸５１に配置された二つのスプロケット７ａ、７ｂを有する。この間隔は、スプロケット７ａ、７ｂが対向する筐体６側面との間で玉１個を受入可能な間隔としてある。スプロケット７ａ、７ｂは外周に３つの玉受け凹部７１を有している。スプロケット７ａと７ｂの玉受け凹部７１の位置は、図４に示すように、一方のスプロケット７ａの玉受け凹部７１に他方のスプロケット７ｂの鍔部７２が位置するようにずらしてあって、一方のスプロケット例えば７ａの玉受け凹部７１に玉が入るときには、他方のスプロケット７ｂにおいて玉はスプロケット７ｂの鍔部７２の外縁部に乗っかっておりその玉受け凹部７１に玉が入り込まないように構成されている（図３）。
【００２１】
スプロケット７ａ、７ｂの鍔部７２先端には内側に向かって斜めに面取り部７３が形成されているので（図３）、スプロケット７ａの玉受け凹部７１に玉がないときには、他方のスプロケット７ｂの鍔部７１の外縁部に乗っている玉がスプロケット７ａの玉受け凹部７１に入り込むようになっている。したがって、スプロケット７ａの玉受け凹部７１とスプロケット７ｂの玉受け凹部７１とは、交互に玉の受入、払出しを行うことができる。
【００２２】
上部逃げ空間４１を設けた理由を、以下に説明する。
図８は、上部逃げ空間４１を設けていない玉導入路６２を有する玉払出装置を示す図であるが、この場合には、後方から押されることによって玉列に圧力がかかり、玉列が玉導入路６２の天井に支えたりして回転体５に下向きの圧力がかかったりする。これによって、回転体５の回転抵抗が増大して、モータ９に過大な負荷がかかり寿命を短くしたり、駆動力の大きいモータ９を使用する必要が生ずる。そこで、上部逃げ空間４１を設けて玉列が天井に突き当たるのを回避して、モータ９に負荷がかからないようにした。なお、この目的のためには、上部逃げ空間４１の高さ（図３中のＥの寸法）は玉１／２個分以上であるのが望ましい。１／２個分以上でないと玉列が天井に突き当たるおそれがあるからである。なお、２個分以上は必要ない。
【００２３】
また、側部逃げ空間４２を設けた理由は、以下による。
図９は、側部逃げ空間４２を設けていない玉導入路６２を有する玉払出装置を示す図であるが、回転体５が時計回りに回転する場合において、玉受け凹部に入り込んだ玉がＢ位置に有る玉を押し上げながら回転する為、図中Ｂ側の、玉受け凹部７１が降下する側の玉（Ｂ玉）には上昇力がかかって、その反作用力として回転体５に負荷がかかっている。したがって、図４に示したように回転体５の玉受け凹部７１が降下する側の玉導入路６２の一側に、側部逃げ空間４２を設けて玉にかかる圧力を逃がすようにした。なお、側部逃げ空間４２の幅（図４中のＦの寸法）は玉１／２個分以上２個分以下とするのが望ましい。玉１／２個分未満では圧力の逃がし効果が小さいからであり、２個分以上は必要ないからである。
【００２４】
図３、４に示す、上部逃げ空間４１と側部逃げ空間４２とを設けた玉払出装置においては、玉入口６１から玉導入路６２に流入された玉は、スプロケット７の玉受け凹部７１に入り込む。スプロケット７の回転により図中Ｂ玉は押し上げられ側部逃げ空間４２に玉（Ｃ玉）が逃げてゆく。さらに玉導入路６２内の玉が多量の場合は、上部逃げ空間４１へ逃げてゆき、玉の圧力を散失させる事ができる。
【００２５】
図１１に示す玉払出装置は、側部逃げ空間４２を設けずに、玉導入路６２の上方に上部逃げ空間４１のみを設けたものであるが、玉入口６１から玉導入路６２に流入された玉は、スプロケット７の玉受け凹部７１に入り込む。玉入り口６１側から流入される玉の圧力とスプロケット７の回転による図中Ｂ玉の押し上げによる玉の圧力は上部逃げ空間４１へ散失することができ図１０で示すアーチ型の玉詰まりを起こすことなくスプロケット７へ容易に入ることができる。以上のような機構により図１１に示したものは玉を高精度で確実に払い出すことができる。
【００２６】
図１２に示す玉払出装置は、上部逃げ空間４１を設けずに、玉導入路６２の側面に側部逃げ空間４２のみを設けたものであるが、このものにおいてもスプロケット７の回転により図中Ｂ玉は押し上げられ側部逃げ空間４２にＣ玉が逃げ、図４に示したものと同様に玉の圧力を散失させ玉を高精度で確実に払出すことができる。
【００２７】
なお、図４に示す玉払出装置において、回転体５の玉受け凹部７１が上昇する側（図４中の玉Ａ側）の玉導入路６２の側面を垂直平坦面６５に形成してある。これによって、玉が振動によって横揺れする空間の存在を排除することができるので、容易に玉受け凹部７１へ入り込み、玉の払出をより確実に行うことができる。
【００２８】
さらに、玉払出路６３の幅で回転体５の軸方向の幅（図３中のG寸法）を、従来は１２ｍｍであったものを、１２ｍｍ超２０ｍｍ未満にすることで、玉の落下速度の減少を少なくして、且つ、２個の玉が挟み込まれるのを完全に防止することができる。また、この幅を１２ｍｍ超２０ｍｍ未満としてあることで、回転体５から玉計数センサー８までに障害
となるものがなく玉の通過を早く計数することができて、払い出された球数を正確にカウントすることができる。２０ｍｍ以上とした場合には、玉詰まりを起こすこととなる。
【００２９】
以上のように構成されたものにおいて、玉タンク１から送出された玉は玉通路樋３内を下流に流下する。玉は山形突条３２によって綺麗に二本の案内溝３３に振り分けられるわけではなく山形突条３２の頂部に存在したりして、玉通路樋３内を２段２列などの渾然となった状態で流下する。そして、玉は玉入口６１から筐体６内に流入し、玉導入路６２に２段２列以上３段３列未満となって流れ込む。玉の払い出し状態においてはスプロケット７ａ、７ｂの回転により玉列は撹拌されながら崩されるので、玉導入路６２には玉が完全に充満せず撹拌移動が可能な遊び空間が残されていることが必要である。上部逃げ空間４１、側部逃げ空間４２を設けたことによって遊び空間は確保することができる。そして、スプロケット７Ａ、７ｂが回転されて玉は二つのスプロケット７ａ、７ｂの玉受け凹部７１に交互に入り込んだうえ、一球ずつ下方の玉払出路６３に送出される。
【００３０】
以上のように、玉はスプロケット７ａ、７ｂに取り込まれるまで玉導入路６２の高さや幅が玉２個分未満に縮小されることがなく、また、上部逃げ空間４１、側部逃げ空間４２により玉圧を逃がすことができるので、玉詰まりを引き起こすことなく玉の払い出しを続行することができる。そして、玉計数センサー８を通過した玉の数をカウントし、所定の数に達したらスプロケット７ａ、７ｂの回転は停止される。本発明は、玉を一段一列に整列させる必要がないので、玉詰まりを引き起こす危険性が格段に低減されるという有利な効果がある。
【００３１】
図５、６は、玉の流入方向を回転軸５１に直交する方向とした玉払出装置を示す図である。この場合においても、玉導入路６２の上方に上部逃げ空間４１を設け、回転体５の玉受け凹部７１が降下する側（図６中玉Ｂ側）の玉導入路６２の一側に、側部逃げ空間４２を設けたので、玉の圧力が回転体５にかかるのを防止することができる。
【００３２】
また、図７は、図５と同様に玉の流入方向を回転軸５１に直交する方向とした玉払出装置を示す図であって、回転体５の回転を反時計回り方向とし、上部逃げ空間４１を設け回転体５の玉受け凹部７１が上昇する側（図７中の玉Ａ側）の玉導入路６２の側面を垂直平坦面６５に形成してあることを示す図である。この場合においては、玉入口６１から玉導入路６２に流入された玉は、スプロケット７の回転により玉受け凹部７１にA玉が入り込む。Ａ玉が玉受け凹部７１へ入り込む際、玉Ｂは上方へ押し上げられる。押し上げられた玉Ｂは、側部逃げ空間を設けていないため、玉入口６１の方向へ逃げていく。つまり玉入り口６１部が側部逃げ空間の役割を兼用したことで圧力を散失させて玉づまりを防止している。
【００３３】
さらに、図１３は、図７の断面図であって、玉A側の垂直平坦面に形成された側面６５乃至６７に接している玉Dへの玉Ｂから伝わる振動は低減され玉Aの玉受け凹部７１への入り込みの妨げにならず、複数の玉受け凹部７１に確実に玉が入り込むことができ、容易な払出を可能とした。且つ、上部逃げ空間があることで、図１０に示すアーチ型の玉詰まりを起こすことはない。以上の機構により図７で示したものは最も高精度で、確実に玉を払出すことができる。
【００３４】
以上に述べたように、上部逃げ空間４１、側部逃げ空間４２を設けることによりスプロケットにかかる負荷を低減して、小さいモータのトルクで玉噛みを生ずることなく玉の払出を確実に行うことができる。且つ、複数の玉受け凹部が設けられた回転体５の玉受け凹部７１に確実に玉を保持することができる。上記する中の図７で示す上部逃げ空間のみを設け、側部逃げ空間を玉入口と兼用としたものが、最も玉払出率がよい、という結果であった。したがって、本発明の玉払出装置は、玉噛みを発生させることなく高速で玉の払い出し、高精度な玉計測を行うことができるという大きな利点がある。
【符号の説明】
【００３５】
５  回転体、６  筐体、８  玉計数センサー、４１  上部逃げ空間、４２  側部逃げ空間、６２  玉導入路、６３  玉払出路、
【図１】
0005397812.tif 000002
【図２】
0005397812.tif 000003
【図３】
0005397812.tif 000004
【図４】
0005397812.tif 000005
【図５】
0005397812.tif 000006
【図６】
0005397812.tif 000007
【図７】
0005397812.tif 000008
【図８】
0005397812.tif 000009
【図９】
0005397812.tif 000010
【図１０】
0005397812.tif 000011
【図１１】
0005397812.tif 000012
【図１２】
0005397812.tif 000013
【図１３】
0005397812.tif 000014